(57)【特許請求の範囲】
【請求項１】
固視標と、該固視標の被検眼側に配設された固視標光投影レンズ群および絞りと、該絞りの被検眼側に配設された光学瞳投影レンズ群とから構成される固指標光投影光学系を備えており、
上記固視標光投影レンズ群および上記光学瞳投影レンズ群によって固視標からの固指標光が被検眼に投影され、上記光学瞳投影レンズ群によって絞りの像が光学瞳として被検眼に投影されるように構成されており、
上記固指標光投影光学系の光軸が、アライメント光を被検眼に照射するためのアライメント光学系の光軸に沿って被検眼に至るように構成されており、
上記固指標光投影光学系が、第一の固視標および第一の絞りを有する第一固指標光投影光学系と第二の固視標および第二の絞りを有する第二固指標光投影光学系とからなり、
上記両絞りの像が、一致した両固指標光投影光学系の光軸上における同一位置に重ねて結像するように構成され、
第二の絞りの固視標光通過口が、第一の絞りの固視標光通過口より小さく形成されてなる眼科検診装置の予備アライメント構造。
【請求項２】
上記第一固指標光投影光学系および第二固指標光投影光学系のうちの一方における第一投影レンズ群が他方の固指標光投影光学系における第一投影レンズ群として共用されてなる請求項１記載の眼科検診装置の予備アライメント構造。
【請求項３】
上記固視標が、固視灯と、該固視灯の被検眼側に配設された固視標光を透過しうるパターン部とを備えており、第一固指標光投影光学系におけるパターン部に形成された光透過パターンと第二固指標光投影光学系におけるパターン部に形成された光透過パターンとが異なるパターンである請求項１または２記載の眼科検診装置の予備アライメント構造。
【請求項４】
上記固視標が、該固視標を備えた固指標光投影光学系の光軸に沿って移動し得るように構成されてなる請求項１〜３のうちのいずれか一の項に記載の眼科検診装置の予備アライメント構造。
【請求項５】
上記絞りの固視標光通過口が拡大および収縮されうるように構成されてなる請求項１〜４のうちのいずれか一の項に記載の眼科検診装置の予備アライメント構造。
【発明の詳細な説明】
【０００１】
【発明の属する技術分野】
本発明は眼科検診装置の予備アライメント構造に関する。さらに詳しくは、被検眼の眼底、角膜、水晶体、ガラス体、毛様筋、眼内レンズ等の観察や撮影を行うための眼科検診装置において、被検眼に対する装置のアライメントを迅速且つ容易に行うための予備アライメント構造に関する。
【０００２】
【従来の技術】
従来、眼科医療分野で眼球の検査のために、被検眼の上記各部を観察・撮影する接触式や非接触式の装置が用いられている。かかる装置を被検者に使用する場合、通常は最初に被検眼の所定部位に装置の光軸を一致させるアライメント操作を行う。このアライメント操作には種々あるが、いずれも、検査者または装置が自動的に被検眼を観察しつつ行われるものである。たとえば、特開平７−３６２号公報および特開平７−１００１１１号公報に開示された角膜撮影装置、並びに特開平８−２７５９２１号公報に開示された眼底カメラでは、被検眼を固定させた状態でその前眼部へ正面からアライメント指標光たる平行光を照射し、前眼部表面で反射された上記アライメント指標光の像を観察しつつ以下のとおりアライメントを行う。装置のモニタ画面では、その中心に装置の観察光学系または撮影光学系の光軸が設定されており、当該モニタ画面に映し出されているアライメント指標光の像（以下、プルキンエ像という）がモニタ画面の中心（上記光軸）に一致するように装置の観察光学系または撮影光学系を移動させる。したがって、観察光学系または撮影光学系の光軸は被検眼表面の頂点、つまり、被検眼表面における装置に最も近い点に一致することとなる。また、必要に応じて被検眼を微小角度回転させることによって観察・撮影部位を変えるようにしている。そして、このアライメント操作と並行して、またはそののちに、観察・撮影部位に観察光学系または撮影光学系の焦点を一致させる合焦操作を行う。
【０００３】
【発明が解決しようとする課題】
しかしながら、被検者が自身の頭部を装置に対向させるときに、装置にはその案内となるようなものとして一般に、アゴ台、前頭部当接部または対物レンズ近くの覗き窓程度のものしか形成されていない。
【０００４】
したがって、被検者が自身の頭部を装置に対向させて被検眼となる眼によって上記覗き窓を覗いたとしても、被検者はいかなる位置からも固視灯やアライメント指標光を認識することができるので、被検眼の位置によっては前眼部が観察可能範囲から外れて上記モニタ画面に映らないことがある。そのような場合は、従来検査者が被検者に頭部移動の指示をしたり、または、アゴ台が可動である場合には検査者がアゴ台を移動させることにより前眼部がモニタ画面に入るようにしている。しかし、かかる手法ではアライメント操作に移るまで長時間を要し、また、アライメント操作にも長時間を要することとなり、結果的に被検者に長く緊張を強いることになる。
【０００５】
本発明はかかる課題を解決するためになされたものであり、被検者に上記覗き窓を通して固視標を凝視させる場合、固視標に対してほぼ一定位置且つ一定方向に被検眼を位置させることによって、その後のアライメント動作が迅速になされうる予備アライメント構造を提供することを目的としている。
【０００６】
【課題を解決するための手段】
本発明の予備アライメント構造は、
固視標と、該固視標の被検眼側に配設された固視標光投影レンズ群および絞りと、該絞りの被検眼側に配設された光学瞳投影レンズ群とから構成される固指標光投影光学系を備えており、
上記固視標光投影レンズ群および上記光学瞳投影レンズ群によって固視標からの固指標光が被検眼に投影され、上記光学瞳投影レンズ群によって絞りの像が光学瞳として被検眼に投影されるように構成されており、
上記固指標光投影光学系の光軸が、アライメント光を被検眼に照射するためのアライメント光学系の光軸に沿って被検眼に至るように構成されている（請求項１）。
【０００７】
かかる構成により、被検者に固視標を凝視させる場合、上記絞りの像における光透過部分（光学瞳）を通して凝視させることができる。そうすることによって被検眼を固視標に対してほぼ一定位置且つ一定方向に位置させることができ、結果的に被検眼の頂点（被検眼表面のうち装置に最も近い点）をほぼアライメント光軸上に位置させることができる。したがってその後のアライメント操作を迅速かつ容易に行うことができる。
【０００８】
固視標の被検眼側に配設された固視標光投影レンズ群と絞りとは種々の相互配置をとりうる。たとえば、絞りが固視標光投影レンズ群の固視標側に配設される場合、固視標光投影レンズ群の被検眼側に配設される場合、および、固視標光投影レンズ群の中に配設される場合がある。
【０００９】
また、上記固指標光投影光学系を、第一の固視標および第一の絞りを有する第一固指標光投影光学系と第二の固視標および第二の絞りを有する第二固指標光投影光学系とから構成し、上記両絞りの像が、一致した両固指標光投影光学系の光軸上における同一位置に重ねて結像するように構成し、第二の絞りの固視標光通過口を第一の絞りの固視標光通過口より小さく形成しているので、被検眼にとって大小二つの光学瞳が同一光軸上の同一点に同心状に形成されることとなる。したがって、まず、被検眼が大きい光学瞳（以下、大光学瞳という）を通して固視標（上記第一の固指標光投影光学系の固視標）を見ることによって前述のとおり被検眼の頂点をほぼアライメント光軸上に位置させることができる。さらに、被検者自身が大光学瞳と同心状態にある小光学瞳を通してその固視標（上記第二の固指標光投影光学系の固視標）を見ることによって被検眼の頂点を一層アライメント光軸上に近づけることができ、その後のアライメント作動が一層迅速になされる。
【００１０】
また、上記第一固指標光投影光学系および第二固指標光投影光学系のうちの一方における第一投影レンズ群を他方の固指標光投影光学系における第一投影レンズ群として共用する（請求項２）ことも可能である。
【００１１】
さらに、上記固視標に、固視灯と該固視灯の被検眼側に配設された固視標光を透過しうるパターン部とを備え、第一固指標光投影光学系におけるパターン部に形成された光透過パターンと第二固指標光投影光学系におけるパターン部に形成された光透過パターンとを異なるパターンから構成する（請求項３）ことにより、被検眼が両固指標光投影光学系の固視標を重ね合わせて見るときにでも各固視標をそれぞれ明確に視認しうるので、大きい光学瞳を通してみる固視標の中心に小さい光学瞳を通して見る固視標を位置させることが容易となる。すなわち、被検眼の頂点をアライメント光軸上に位置させることが容易となる。
【００１２】
加えて、上記固視標を、該固視標を備えた固指標光投影光学系の光軸に沿って移動し得るように構成する（請求項４）ことにより、視度の異なる被検眼に対しても固視標を明確に視認し得るようにすることができる。
【００１３】
また、上記絞りの固視標光通過口を拡大および収縮しうるように構成する（請求項５）ことにより、被検眼を一定位置且つ一定の方向に誘導することがさらに容易になる。
【００１４】
特許請求の範囲でいう「レンズ群」とは一枚のレンズから構成される場合があり、また、二枚以上のレンズの組み合わせから構成される場合もある。
【００１５】
【発明の実施の形態】
添付図面に示される実施形態に基づいて本発明の予備アライメント構造を説明する。
【００１６】
図１は本発明の予備アライメント構造の一実施形態が適用された眼科検診装置の一例たる角膜撮影装置を示す概略配置図である。図２は図１の角膜撮影装置におけるモニタ表示器の一例を示す説明図である。図３は図１の角膜撮影装置における被検者が見る固視標の例を示す説明図である。図４は本発明の予備アライメント構造の一実施形態が適用された眼科検診装置の他の例たる眼底カメラを示す概略配置図である。
【００１７】
図１の角膜撮影装置１は、被検眼Ｅに向かって前進後退するＺ方向、並びにＺ方向に垂直で且つ互いに垂直なＸ方向およびＹ方向に移動させうる機枠２上に配設された撮影系３を有している。
【００１８】
この撮影系３は、被検眼Ｅの前眼部をその斜め前方からスリット光によって照明するための照明光学系４と、被検眼Ｅの前眼部表面で反射された上記スリット光を撮影するための撮影光学系５と、被検眼Ｅの前眼部に向けて撮影光軸位置合わせ（アライメント）のためのアライメント光を正面から照射し、且つその角膜反射光を撮像するためのアライメント光学系６と、撮影光学系５の焦点を被撮影部位たる角膜内皮に一致させるための合焦光学系７とを含んでいる。
【００１９】
照明光学系４は、前眼部照明用光源としてのストロボ放電管８を有し、そこからの可視光をスリット９に通し、このスリット光を投影レンズ１０によって被検眼Ｅの角膜に収束させるものである。本実施形態では照明光学系４の光路にその途中から後述の合焦光学系の光路を同一にするため、光路途中にハーフミラー１１を介在させている。このハーフミラー１１は可視光である照明光は透過し、赤外光である後述の合焦検出用光は反射するものである。
【００２０】
撮影光学系５は、角膜組織を撮影するためのテレビカメラ１２を有し、被検眼Ｅの角膜で反射された上記スリット光を対物レンズ１３、ミラー１４および結像レンズ１５を通したうえで上記テレビカメラ１２に導くものである。本実施形態では撮影光学系５の光路が後述の合焦光学系とほとんど同一にしているため、途中で光路を分岐するためのハーフミラー１６を介在させている。このハーフミラー１６は可視光である照明光を反射し、赤外光である後述の合焦検出用光を透過するものである。
【００２１】
アライメント光学系６は、アライメント指標光の光源としての発光ダイオード１７を有し、この発光ダイオード１７からの近赤外光を集光レンズ１８、ハーフミラー１９およびビームスプリッター２０によって平行化して被検眼Ｅの前眼部にその正面から照射するものである。そして、上記アライメント指標光の被検眼Ｅ頂点における反射像（プルキンエ像）は、上記ビームスプリッター２０、前眼部撮影レンズ２１およびハーフミラー１６を透過させてテレビカメラ１２に送られる。上記ハーフミラー１９は近赤外光である上記アライメント指標光を反射し、可視光である後述の固視標光を透過するものである。そして、このアライメント光学系６の光軸（以下、アライメント光軸ともいう）に対して照明光学系４の光軸と撮影光学系５の光軸とが同一角度だけ逆方向に傾斜している。
【００２２】
上記テレビカメラ１２の受光面１２ａで結像した画像による受像信号は図２に示すモニタ表示器Ｍの画面に光点Ｌとして表示される。この光点Ｌの位置が被検眼Ｅの頂点を示している。一方、モニタ表示器Ｍではその画面中心Ｃに撮影光学系５の光軸が設定されている。そしてアライメントは、図示しない制御回路からの信号により、上記光点Ｌが画面中心Ｃ近傍の狭い範囲に入るように機枠２がＸ、Ｙ方向に移動させられることによってなされる。
【００２３】
合焦光学系７は、合焦用光源としての照明ランプ２２と合焦検出用受光素子２３とを有しており、照明ランプ２２から集光レンズ２４を透過してくる赤外光を上記ハーフミラー１１によって照明光学系４の光路に沿わせてスリット光化して被検眼Ｅに照射し、その前眼部表面における反射光を上記撮影光学系５の光路に沿って上記合焦検出用受光素子２３に至らせるものである。その際、前眼部表面反射光は撮影光学系５の光路に沿って上記ハーフミラー１６に至り、これを透過して合焦検出用受光素子２３に受光される。
【００２４】
上記照明光学系４と合焦光学系７とは互いに、合焦検出用の上記スリット光が上記合焦検出用受光素子２３の受光点にちょうど入射するように反射される反射点（以下、合焦点という）が、照明光学系４におけるスリット光の収束点となるように構成されている。
【００２５】
そして、機枠２をＺ方向に移動させ、スリット光が合焦検出用受光素子２３に受光された（合焦がなされた）ことによる信号によって機枠２のＺ方向移動が停止させられる。この合焦動作は上記アライメント動作と並行してもよく、また、アライメントが完了した後になされてもよい。
【００２６】
また、上記アライメント光学系６には第一固視標光投影光学系２５および第二固視標光投影光学系２６が併設されている。この両固視標光投影光学系２５、２６によって予備アライメントがなされる。各固視標光投影光学系２５、２６には、被検眼Ｅに固視させることによって被検眼Ｅの光軸を一定方向に定めるための第一固視灯２７、第二固視灯２８がそれぞれ配設されている。各固視灯２７、２８の被検眼Ｅ側にはそれぞれ第一光透過パターン板２７ａおよび第二光透過パターン板２８ａが配設されており、両光透過パターン板２７ａ、２８ａの被検眼Ｅ側にはそれぞれ第一固視標光投影レンズ群２９および第二固視標光投影レンズ群３０が配設されており、両固視標光投影レンズ群２９、３０の被検眼Ｅ側にはそれぞれ第一絞り３１および第二絞り３２が配設されている。上記光透過パターン板２７ａ、２８ａには相互に異なるパターンが形成されている。
【００２７】
上記固視灯２７、２８からの固視標光はそれぞれ、第一光透過パターン板２７ａおよび第一光透過パターン板２８ａを透過し、第一固視標光投影レンズ群２９および第二固視標光投影レンズ群３０を通過し、さらに第一絞り３１および第二絞り３２を通って被検眼Ｅ方向に向かう。第一固視標光投影光学系２５の光軸はミラー３３およびハーフミラー３４によって屈曲されて第二固視標光投影光学系２６の光軸に一致するようにされている。一致した光軸上には光学瞳投影レンズ群３５が配設されており、上記第一固視灯２７および第二固視灯２８からの固視標光はともにこの光学瞳投影レンズ群３５を透過し、上記ハーフミラー１９によって反射されることにより、アライメント光学系６の光路に沿って上記ビームスプリッター２０へ向かい、被検眼Ｅにいたるようにされている。
【００２８】
上記固視標光投影光学系２５、２６における絞り３１、３２はそれぞれ光学瞳投影レンズ群３５によってその像がアライメント光軸上の同一位置に結像するようにされている。この絞り３１、３２はそれぞれの中央に円形の光透過部３１ａ、３２ａを有しており、被検眼Ｅにとって第一絞り３１の光透過部３１ａの像が第一光学瞳Ｐ１となり、第二絞り３２の光透過部３２ａの像が第二光学瞳Ｐ２となる。また、両光学瞳Ｐ１、Ｐ２の上記結像位置は被検眼Ｅの瞳孔に対応する位置、すなわち、アライメント光軸上であって上記合焦点の近傍の位置である。形成された絞り３１、３２の光透過部３１ａ、３２ａの像、すなわち光学瞳Ｐ１、Ｐ２はともに小さい円状に結像するようにされており、また、第二光学瞳Ｐ２のは第一光学瞳Ｐ１より小径となるようにされており、同心状に重なって結像することになる。以下、第一光学瞳Ｐ１を大光学瞳Ｐ１とも呼び、第二光学瞳Ｐ２を小光学瞳Ｐ２とも呼ぶ。
【００２９】
以上の、第一固視灯２７、第一固視標光投影レンズ群２９、第一絞り３１および光学瞳投影レンズ群３５によって第一固視標光投影光学系２５が構成され、第二固視灯２８、第二固視標光投影レンズ群３０、第二絞り３２および光学瞳投影レンズ群３５によって第二固視標光投影光学系２６が構成されている。
【００３０】
また、上記第一固視標光投影光学系２５および第二固視標光投影光学系２６において、第一絞り３１および光学瞳投影レンズ群３５によって第一光学瞳投影光学系３６が構成され、第二絞り３２および光学瞳投影レンズ群３５によって第二光学瞳投影光学系３７が構成されている。すなわち、各光学瞳投影光学系３６、３７が各固視標光投影光学系２５、２６の一部をそれぞれ構成していることになる。
【００３１】
以上の両固視標光投影光学系２５、２６および両光学瞳投影光学系３６、３７によって予備アライメント構造（図１中に二点鎖線で囲んだ範囲）が構成されており、この予備アライメント構造により、被検眼Ｅは第一光学瞳Ｐ１を通して第一光透過パターン板２７ａのパターン（以下、第一パターンという）Ｄ１を見ることになり、大光学瞳Ｐ２を通して第二光透過パターン板２７ｂのパターン（以下、第二パターンという）Ｄ２を見ることになる。
【００３２】
図３(ａ)に示されるのが第一パターンＤ１であり、第一固視標光投影光学系２５の光軸を中心とした同心状の円環形に形成されている。図中の白い部分は光を透過する部位Ｑ１であり、黒い部分が光を透過しない部位Ｒ１である。
【００３３】
図３(ｂ)に示されるのが第二パターンＤ２であり、第二固視標光投影光学系２６の光軸を中心とした円形に形成されている。図中の白い部分は光を透過する部位Ｑ２であり、黒い部分が光を透過しない部位Ｒ２である。
【００３４】
なお、前述のとおり両光学瞳Ｐ１、Ｐ２は同心状に重なって結像するので、実際には第二パターンＤ２が見えるときには図３(ｃ)に示すように第一パターンＤ１も重なって見え、第二パターンＤ２が図３(ｂ)のように単独で見えることはない。すなわち、被検眼Ｅがアライメント光学系６の光軸（両固視標光投影光学系２５、２６の光軸であり、両光学瞳投影光学系３６、３７の光軸でもある）に沿って上記パターンＤ１、Ｄ２を見たときには、図３(ｃ)に示すように両パターンＤ１、Ｄ２は光学瞳の中央に同心状に重なって見える。
【００３５】
しかしながら、被検眼Ｅの瞳孔がアライメント光軸から外れて小光学瞳Ｐ２から外れた状態で上記パターンＤ１、Ｄ２を見ようとすると、図３(ａ)に示すように第一パターンＤ１のみが見えて第二パターンＤ２は見えない。被検眼Ｅの瞳孔がさらにアライメント光学系６の光軸から外れると、瞳孔は大光学瞳Ｐ１からも外れてしまうのでもはや両パターンＤ１、Ｄ２ともに見えなくなる。
【００３６】
本装置１ではアライメント光軸が被検者用の覗き窓Ｗの中心を通るように構成されており、また、大光学瞳Ｐ１も大きく形成されているので、被検者が装置１の覗き窓Ｗを覗けば、または、覗きながら被検眼Ｅを適当に動かせば容易に大光学瞳Ｐ１を透過してくる固視標光を視認する（第一パターンＤ１を見る）ことができる。このとき同時に第二パターンＤ２が重なって見えることもあり、その場合は既に被検眼Ｅの頂点がアライメント光軸に近接していることを示している。たとえ、第一パターンＤ１しか見えなくとも、被検眼Ｅを適当に動かせば瞳孔に小光学瞳Ｐ２が重なるので容易に第二パターンＤ２を視認することができる。そうすることにより、被検眼の頂点を容易に且つ迅速にアライメント光軸に近づけることができる。すなわち、図２に示すモニタ表示器Ｍの画面には被検眼Ｅの頂点を示す光点Ｌが画面の中心Ｃ近傍に映し出されている。その結果、その後のアライメント光学系６によるアライメント（いわば本アライメント）動作がきわめて迅速になされることになる。
【００３７】
本実施形態では第一固視標光投影光学系２５および第二固視標光投影光学系２６の両方を備えているが、本発明ではとくにかかる構成に限定されることはない。第一固視標光投影光学系２５または第二固視標光投影光学系２６の一方のみ、したがって光学瞳投影光学系についても第一３６または第二３７の一方のみを備えたものであってもよい。たとえば第一固視標光投影光学系２５および第一光学瞳投影光学系（大光学瞳）３６のみを備えた装置にあっては、被検者が覗き窓を覗けば容易に固視標光を視認することができるので、さほど正確ではないにしても迅速に被検眼の頂点をほぼアライメント光軸上に位置させることができる。一方、第二固視標光投影光学系２６および第二光学瞳投影光学系（小光学瞳）３７のみを備えた装置にあっては、被検者はさほど迅速ではないにしても、より正確に被検眼の頂点をアライメント光軸上に位置させることができる。
【００３８】
本実施形態では、第一パターンＤ１を同心状の円環形に形成し、第二パターンＤ２を円形に形成しているが、本発明ではとくにかかる構成に限定されることはない。たとえば、上記光透過パターン板２７ａ、２８ａの一方または双方に、固視灯２７、２８が発する光の成分のうち所定波長より長波長側（または、短波長側）のものを透過する光学フィルターを用いたものであってもよい。その場合、第一および第二の光透過パターン板同士を異なる光学フィルターから構成するのがよい。また、一方の固視灯２７、２８に対して、光透過パターン板に代えて、または光透過パターン板を併設した上で、その固視灯点滅させるものであってもよい。
【００３９】
さらに、上記絞り３１、３２を、たとえば同心円状に配設した液晶パターンの切り換え表示等によってその光透過部３１ａ、３２ａが拡大および収縮するように構成することも可能である。このように構成することにより、被検眼を一定位置且つ一定の方向に誘導することがさらに容易になる。
【００４０】
また、絞り３１、３２は、その光透過部３１ａ、３２ａとして実際に空間が形成されたものの他、空間的には閉止されていて光の全波長域が透過しうる小径の部分が形成されたもの、たとえば、透明な合成樹脂またはガラスなどに光を透過せしめる部分（上記光透過部）を除いてその周囲に印刷などによって光不透過部や光学フィルター部を形成したものなども採用しうる。
【００４１】
予備アライメントに上記光学瞳Ｐ１、Ｐ２を用いることにより、その後の本アライメント時にさらなる利点が生じる。それは、光学瞳Ｐ１、Ｐ２は本アライメントに何らの支障も生じないことである。すなわち、上記絞り３１、３２はアライメント光学系６上には位置していないため、アライメント光源１７からの近赤外光は光学瞳Ｐ１、Ｐ２による制限なく被検眼Ｅに至るのである。したがって、光学瞳Ｐ１、Ｐ２を用いれば、予備アライメントを迅速に行うためにたとえば絞りの光透過部３１ａ、３２ａを小さくしたとしても、本アライメントに何らの支障も来さない。
【００４２】
図１に示すように、本装置１においては上記両固視灯２７、２８が一体にそれぞれの光透過パターン板２７ａ、２８ａとともに光軸上を移動し得るように構成されている。移動機構はラックとピニオン等の公知の機構を用い、被検者自身がダイヤル等を回すことによって移動させることができる。そうすることにより、上記パターンの結像位置を光学瞳Ｐ１、Ｐ２の位置とは独立して前後させることができるので、視度の異なる被検者であっても容易に且つ迅速にパターンを明瞭に視認することができる。また、そのときにも両光学瞳Ｐ１、Ｐ２は被検眼Ｅの瞳孔に対応する位置に固定的に形成されているため、両パターンＤ１、Ｄ２の重なり具合も明確に視認できる。すなわち、被検眼Ｅにとって第一パターンＤ１内に重なっている第二パターンＤ２の外縁が明確である。
【００４３】
本実施形態では、予備アライメント構造を角膜撮影装置に適用した場合を例にとって説明したが、本発明はとくに角膜撮影装置に限定されることはない。たとえば、特開平８−２７５９２１号公報に開示されたような眼底カメラに対しても同様に適用可能である。図４に示すようにこの眼底カメラ４１は、撮影用光源４２および対物レンズ４３等を備えて、照明光を被検眼Ｅの瞳孔を通して眼底を照明する照明光学系４４と、合焦指標光源４５を備え、合焦指標光を眼底に照射する合焦光学系４６と、撮影用カメラ４７を備え、眼底において反射した上記照明光に基づいて眼底を撮影するとともに、眼底において反射した上記合焦指標光に基づいて合焦検出を行うための眼底撮影光学系４８とを有している。
【００４４】
さらに、上記合焦および撮影の各動作に先立って眼底撮影光学系４８の撮影入射瞳を被検眼Ｅの瞳孔中心に一致させるための作動距離検出光学系４９およびアライメント光学系５０を有し、さらに、上記角膜撮影装置１における予備アライメント構造と同様の、第一および第二の固視標光投影光学系２５、２６並びに第一および第二の光学瞳投影光学系３６、３７から構成される予備アライメント構造（図４中に二点鎖線で囲んだ範囲）を有している。
【００４５】
作動距離検出光学系４９は、その作動距離検出用光源５１からの作動距離検出用指標光を被検眼Ｅの前眼部に斜めから照射し、前眼部で反射された指標光を作動距離検出用受光素子５２によって斜めから検出することにより作動距離を制御するものである。作動距離検出用のスリット光が上記作動距離検出用受光素子５２の受光点にちょうど入射するように反射される反射点（以下、作動距離合致点という）が、アライメント光軸上になるように構成されている。
【００４６】
アライメント光学系５０は、アライメント用光源５３からの赤外光を集光レンズ５４、ハーフミラー５５、５６、ミラー５７、凹レンズ５８および上記対物レンズ４３を通して平行化して被検眼Ｅの前眼部に正面から照射し、この平行光の角膜反射像をアライメント用カメラ５９で撮像し、撮像画面の中心（眼底撮影光学系４８の光軸に対応している）に上記角膜反射像を一致させることによってアライメントを行うものである。このアライメントの方法は前述した角膜撮影装置１における方法と同じであるので説明を省略する。なお、上記ミラー５７および凹レンズ５８はアライメント完了後、撮影を行うときには眼底撮影光学系４８の光軸から退避させられる。
【００４７】
上記予備アライメント構造については角膜撮影装置１における予備アライメント構造（図１）と同じであるので、その構成部材について図１の予備アライメント構造の構成部材と同一の符号を付記するにとどめて説明を省略する。なお、眼底カメラ４１における光学瞳Ｐ１、Ｐ２の形成位置は、被検眼Ｅの瞳孔に対応する位置、すなわち、アライメント光軸上であって上記作動距離合致点の近傍の位置である。
【００４８】
本眼底カメラ４１においてもアライメント光軸が被検者用の覗き窓Ｗの中心を通るように構成されている。そして被検者が装置４１の覗き窓Ｗ通して対物レンズ４３を覗き、第一パターンＤ１と第二パターンＤ２とが重なって見えるように被検眼を変位させれば、被検眼の頂点を容易に且つ迅速にアライメント光軸に近づけることができる。したがって、その後のアライメント光学系５０による本アライメント動作がきわめて迅速になされることになる。
【００４９】
図４に示すように、本眼底カメラ４１においても両固視灯２７、２８が一体にそれぞれの光透過パターン板２７ａ、２８ａとともに光軸上を移動し得るように構成され、被検眼Ｅの視度に応じることが可能にされている。一方、眼底カメラはアライメント動作および作動距離合わせ動作の後に被検眼Ｅの視度に合わせて合焦を行う必要がある。したがって、本カメラ４１のように予備アライメント時に被検眼Ｅの視度合わせを行うことにより、予備的に合焦しておくことになるのでさらに大きい効果が得られる。
【００５０】
本実施形態では絞り３１、３２は固視標光投影レンズ群２９、３０の被検眼Ｅ側に配設されているが、とくにその位置に限定されることはない。たとえば、固視標光投影レンズ群２９、３０の固視灯２７、２８側に配設してもよく、また、固視標光投影レンズ群２９、３０が複数枚のレンズから構成されている場合に、固視標光投影レンズ群の中に配設してもよい。上記前絞りおよび中絞りの場合には、光学瞳は光学瞳投影レンズ群と固視標光投影レンズ群とによって投影されることになり、その場合の絞りの被検眼側に位置する固視標光投影レンズ群をも光学瞳投影レンズ群と呼んでもよい。
【００５１】
また、他の眼科検診装置、たとえば、眼圧測定装置、視度測定装置等にも前述の予備アライメント構造を配設することによってアライメント動作を容易に且つ迅速に完了することができる。
【００５２】
【発明の効果】
本発明の予備アライメント構造によれば、被検者が光学瞳を通して固視標を凝視することにより、固指標に対してほぼ一定位置且つ一定方向に被検眼を位置させることができる。したがって、眼科検診装置における撮影系の光軸や観察の光軸を被検眼の頂点近傍に位置させるアライメント操作を迅速かつ容易に行うことができる。
【図面の簡単な説明】
【図１】本発明の予備アライメント構造の一実施形態が適用された眼科検診装置の一例たる角膜撮影装置を示す概略配置図である。
【図２】図１の角膜撮影装置におけるモニタ表示器の一例を示す説明図である。
【図３】図３は図１の角膜撮影装置における被検者が見る固視標の例を示す説明図である。
【図４】本発明の予備アライメント構造の一実施形態が適用された眼科検診装置の他の例たる眼底カメラを示す概略配置図である。
【符号の説明】
１・・・角膜撮影装置、  ２・・・機枠、  ４・・・照明光学系、
５・・・撮影光学系、  ６・・・アライメント光学系、
７・・・合焦光学系、  ８・・・ストロボ放電管、
９・・・スリット、  １０・・・投影レンズ、
１１・・・ハーフミラー、  １２・・・テレビカメラ、
１２ａ・・受光面、  １３・・・対物レンズ、  １５・・・結像レンズ、
１６・・・ハーフミラー、  １７・・・発光ダイオード、
１８・・・集光レンズ、  １９・・・ハーフミラー、
２０・・・ビームプリッター、  ２１・・・前眼部撮影レンズ、
２２・・・照明ランプ、  ２３・・・合焦検出用受光素子、
２４・・・集光レンズ、  ２５・・・第一固視標光投影光学系、
２６・・・第二固視標光投影光学系、  ２７・・・第一固視灯、
２７ａ・・第一光透過パターン板、  ２８・・・第二固視灯、
２８ａ・・第一光透過パターン板、
２９・・・第一固視標光投影レンズ群、
３０・・・第二固視標光投影レンズ群、  ３１・・・第一絞り、
３２・・・第二絞り、  ３１ａ、３２ａ・・光透過部
３３・・・ミラー、  ３４・・・ハーフミラー、
３５・・・光学瞳投影レンズ群、  ３６・・・第一光学瞳投影光学系、
３７・・・第二光学瞳投影光学系、
４１・・・眼底カメラ、  ４２・・・撮影用光源、
４３・・・対物レンズ、  ４４・・・照明光学系、
４５・・・合焦指標用光源、  ４６・・・合焦光学系、
４７・・・撮影用カメラ、  ４８・・・眼底撮影光学系、
４９・・・作動距離検出光学系、  ５０・・・アライメント光学系、
５１・・・作動距離検出用光源、  ５２・・・作動距離検出用受光素子、
５３・・・アライメント用光源、  ５４・・・集光レンズ、
５５、５６・・・ハーフミラー、  ５７・・・ミラー、
５８・・・凹レンズ、  ５９・・・アライメント用カメラ、
Ｃ・・・画面中心、  Ｄ１・・・第一パターン、
Ｄ２・・・第二パターン、  Ｅ・・・被検眼、  Ｌ・・・光点、
Ｍ・・・モニタ表示器、  Ｐ１・・・第一光学瞳、
Ｐ２・・・第二光学瞳、  Ｑ１、Ｑ２・・・光透過部位、
Ｒ１、Ｒ２・・・光不透過部位、  Ｗ・・・覗き窓
【図１】
0003860917.tif 000002
【図２】
0003860917.tif 000003
【図３】
0003860917.tif 000004
【図４】
0003860917.tif 000005